(57)【特許請求の範囲】
【請求項１】
陸屋根を覆う養生シートと、陸屋根面上に設置され、空気を注入することにより上方に膨らみ、前記養生シートに外壁側に向けて下方に傾斜する勾配をつけるバルーンとを備え、該養生シートとバルーンとが一体化されている陸屋根養生具を用い、
陸屋根面上に設置した前記陸屋根養生具のバルーンに備えられた空気注入口を陸屋根面に開口するドレンパイプに接続し、階下においてドレンパイプの下端部に送風機を接続し、該送風機を駆動することにより、空気をドレンパイプを通じてバルーンに注入して膨らまし、養生シートに、外壁側に向けて下方に傾斜する勾配をつけさせて陸屋根を覆わせることを特徴とする陸屋根養生方法。
【発明の詳細な説明】
【技術分野】
【０００１】
本発明は、陸屋根養生具、陸屋根養生構造及び陸屋根養生方法に関する。
【背景技術】
【０００２】
建物の建築等において行われる陸屋根の養生は、従来より、陸屋根の全体をブルーシートなどの養生シートで覆うことにより行われているが、養生シートに雨水や雪が溜まるのを防ぐ必要がある場合は、陸屋根に仮設の勾配下地を設置し、該勾配下地と共に陸屋根の全体を養生シートで覆うことによって養生シートに勾配をつけることが行われていた。
【特許文献１】特開平１０−２６６４８２号公報
【発明の開示】
【発明が解決しようとする課題】
【０００３】
しかしながら、勾配下地を用いた上記のような方法では、その設置や、その解体・撤去が非常に厄介であるという問題があった。
【０００４】
本発明は、上記のような問題点に鑑み、養生シートに勾配をつけることができ、しかも、設置と撤去を容易にすることができる陸屋根養生具、陸屋根養生構造及び陸屋根養生方法を提供することを課題とする。
【課題を解決するための手段】
【０００５】
上記の課題は、陸屋根を覆う養生シートと、陸屋根面上に設置され、空気を注入することにより上方に膨らみ、前記養生シートに外壁側に向けて下方に傾斜する勾配をつけるバルーンとが備えられていることを特徴とする陸屋根養生具によって解決される（第１発明）。
【０００６】
この陸屋根養生具では、陸屋根面上にバルーンを設置し、空気を注入して上方に膨らませた状態にすれば、該バルーンの膨らみを利用して養生シートを外壁側に向けて下方に傾斜する勾配をつけた状態にすることができ、雨水や雪などが養生シート上に溜まるのを防ぐことができる。
【０００７】
しかも、バルーンは、膨らませる前の畳んだ状態において地上から陸屋根面上に運び、陸屋根面上で空気を注入して膨らませて設置することができると共に、養生後は、陸屋根面上でバルーンの空気を抜き、コンパクトに畳んで撤去することができて、設置と撤去を容易にすることができる。
【０００８】
加えて、膨らませる前のバルーンを下にするようにして養生シートを陸屋根に敷いた後、バルーンに空気を注入することができ、そうすることにより、陸屋根が広いような場合であっても、バルーンの膨らみ高さ寸法を大きくして、養生シートに必要な勾配をもたせることができ、それでいて、そのような勾配の養生シートの設置をバルーンを用いて容易にすることができる。
【０００９】
第１発明において、前記養生シートとバルーンとが一体化されている場合は（第２発明）、陸屋根面上で、バルーンを下にして養生シートを広げた後、バルーンに空気を注入すれば、養生シートを勾配を付けた状態にすることができ、その過程でバルーンと養生シートとの位置関係にずれを生じることもなく、養生シートとバルーンの双方の設置を適正かつ容易にすることができる。
【００１０】
また、上記の課題は、第１，第２発明の陸屋根養生具のバルーンが陸屋根面上に設置され、空気を注入されて上方に膨らまされ、養生シートが該バルーンで外壁側に向けて下方に傾斜する勾配をつけられて陸屋根を覆っていることを特徴とする陸屋根養生構造によっても、同様に解決される（第３発明）。
【００１１】
更に、本発明は、第１，第２発明の陸屋根養生具のバルーンに備えられた空気注入口を陸屋根面に開口するドレンパイプに接続し、階下においてドレンパイプの下端部に送風機を接続し、該送風機を駆動することにより、空気をドレンパイプを通じてバルーンに注入して膨らますことを特徴とする陸屋根養生方法を含む（第４発明）。
【００１２】
この方法では、バルーンを膨らませる送風機を陸屋根上に運搬する必要がなく、しかも、陸屋根面に開口するドレンパイプを利用して空気を注入するものであるから空気注入のためのダクトを別途に陸屋根へと延ばす必要もなく、バルーンへの空気の注入を容易に行うことができる。
【発明の効果】
【００１３】
本発明の陸屋根養生具等は、以上のとおりのものであるから、養生シートに勾配をつけることができ、しかも、設置と撤去を容易にすることができる。
【発明を実施するための最良の形態】
【００１４】
次に、本発明の実施最良形態を図面に基づいて説明する。
【００１５】
図１及び図２に示す実施形態の陸屋根養生具、陸屋根養生構造及び陸屋根養生方法において、１は建物の陸屋根、２は陸屋根養生具であり、陸屋根養生具２において、３は養生シート、４はバルーンである。
【００１６】
養生シート３は、必要な勾配を付けた状態で陸屋根１を覆うことができる平面外周サイズを備えており、軽量なパラシュート素材などで構成されている。
【００１７】
バルーン４は、養生シート３の内面側の面内中央部分において養生シート３と一体化して備えられ、陸屋根面１ａ上に設置され、なかに空気が注入されることにより上方に膨らみ、その膨らみによって養生シート３に外壁５側に向けて下方に傾斜する勾配をつけさせるものである。
【００１８】
なお、バルーン４の材質は伸縮性を有するものからなっていてもよいし、伸縮性を有しないものからなっていてもよい。また、バルーン４と養生シート３との一体化は、養生シート３の内面部にバルーン４を取り付けたものであってもよいし、バルーンの上端部側が養生シート３で隠されることなく外に露出し、その露出部分を囲む周囲部分から養生シート３が外方に延ばされたものであってもよい。
【００１９】
６は係合部としての掛止輪で、図１（ハ）に示すように、該掛止輪６に連結条材９の一端を係合させ、連結条材９の他端を建物の、例えばパラペット８の笠木部分８ａに引っ掛けることにより、養生シート３を勾配のついた張った状態に建物に固定することができるようになされている。なお、掛止輪６は、陸屋根の形状やサイズの違いに対応して選択できるように複数備えられている。
【００２０】
また、本実施形態では、養生シート３の外面部、及び／又は、バルーン４の部分であって養生シート３によって隠れてしまわない領域部分に、美感、広告用の、デザインやネーミング等の表示９が施されている。
【００２１】
陸屋根１への陸屋根養生具２の設置は、図２（イ）に示すように、養生シート３を、バルーン４を下にするようにして陸屋根１を覆うように広げ、しかる後、図２（ロ）に示すように、バルーン４に空気を注入していけば、バルーン４は上方に膨らみ、養生シート３は、バルーン４の側から建物の外壁５の側に向けて傾斜する勾配を付けられて陸屋根１を覆った状態になる。
【００２２】
従って、陸屋根１が広いような場合であっても、バルーン４の膨らみ高さ寸法を大きくして、養生シート３に必要な勾配をもたせることができ、それでいて、そのような勾配の養生シート３の設置をバルーン４を用いて容易にすることができる。
【００２３】
また、バルーン４と養生シート３とは一体化されているので、バルーン４を膨らませていく過程でバルーン４と養生シート３との位置関係にずれを生じることもなく、養生シート３とバルーン４の双方の設置を適正かつ容易にすることができる。
【００２４】
バルーン４への空気の注入は、種々の方法で行われてよいが、本実施形態では、図２（イ）に示すように、陸屋根面１ａの水勾配の最下に位置して開口するドレンパイプ１０を利用し、該ドレンパイプ１０の上端部をバルーン４の空気注入口４ａと接続すると共に、階下において、ドレンパイプ１０の下端部に送風機１１を接続し、そして、該送風機１１を駆動して、図２（ロ）に示すように、空気をドレンパイプ１０を通じてバルーン４内の送り込むというようにして行っている。
【００２５】
この空気注入方法によれば、送風機１１を陸屋根１上に運搬する必要がなく、しかも、陸屋根面１ａに開口するドレンパイプ１０を利用して空気を注入するものであるから空気注入のためのダクトを別途に陸屋根１へと延ばす必要もなく、バルーン４への空気の注入を容易に行うことができる。
【００２６】
養生後の陸屋根養生具２の撤去は、バルーン４の空気を抜き、養生シート３をバルーン４と共に畳んで陸屋根１から運び出せばよい。
【００２７】
このように、上記の陸屋根養生具２によれば、バルーン４の膨らみを利用して養生シート３を外壁５の側に向けて下方に傾斜する勾配をつけた状態にすることができて、雨水や雪などが養生シート３上に溜まるのを防ぐことができ、しかも、設置と撤去を容易に行うことができる。
【００２８】
以上に、本発明の実施形態を示したが、本発明はこれに限られるものではなく、発明思想を逸脱しない範囲で各種の変更が可能である。例えば、上記の実施形態では、バルーン４と養生シート３とが一体化されている場合を示したが、それらは別体物（一体化されていない物）として構成されていてもよいし、面ファスナーなどによって着脱できるように構成されていてもよい。着脱できる構成の場合は、同じバルーンを用い、養生シートを平面サイズや形状の異なる複数種類から選択して取り付けることができて、コスト的な有利性を発揮することができる。また、バルーン４や養生シート３の材質や形態に特段の制限はなく、種々の材質、形態のものが採用されてよい。
【図面の簡単な説明】
【００２９】
【図１】実施形態の陸屋根養生具、陸屋根養生構造を示すもので、図（イ）は断面正面図、図（ロ）は平面図、図（ハ）は一部拡大断面正面図である。
【図２】図（イ）及び図（ロ）は、バルーンへの空気注入方法を示す断面正面図である。
【符号の説明】
【００３０】
１…陸屋根
２…陸屋根養生具
３…養生シート
４…バルーン
４ａ…空気注入口
５…外壁
１０…ドレンパイプ
１１…送風機
【図１】
0005107677.tif 000002
【図２】
0005107677.tif 000003